(57)【特許請求の範囲】
【請求項１】
既設電柱の損傷箇所に外嵌して補強するための補強カバーであって、該カバーの綴じ合わせ部がネジ止め構造とされており、この綴じ合わせ部の少なくとも内側に位置するカバーの綴じ合わせ重合縁のネジ止め部は凹陥されていてこの凹陥部内にネジが位置して綴じ合わせ端がカバーの外周面に突出しないように構成されており、
前記カバーの長手方向両端部内面に、カバーの外周面から既設電柱の外周面に向かって形成され既設電柱の外周面に可及的密に当接する同等の鍔部が形成され、前記カバーの適所に少なくとも１つの充填材注入口が設けられている
ことを特徴とする電柱用補強カバー構造。
【請求項２】
前記凹陥部は、カバーの閉じ合わせ重合縁の長手方向に連続して形成されている請求項１記載の電柱用補強カバー構造。
【請求項３】
前記凹陥部は、ネジの頭部が位置する部位に各別に形成されている請求項１記載の電柱用補強カバー構造。
【請求項４】
前記補強カバーは、既設電柱の半面外周に嵌合し得る断面半円形状で所要長さを有する一対のカバーからなり、このカバーの綴じ合わせ部の内側になる綴じ合わせ重合縁の内面に、所定の間隔をおいて所要数のネジ孔が列設された細長板状の雌ネジ部材が添設され、外側になる綴じ合わせ部から挿通するネジを前記雌ネジ部材のネジ孔に螺挿して締結するようになされている請求項１〜３のいずれか１項記載の電柱用補強カバー構造。
【請求項５】
前記ネジは丸皿ネジとされている請求項１〜４のいずれか１項記載の電柱用補強カバー構造。
【請求項６】
一対のカバーのそれぞれを長短２様に形成し、これらカバーを既設電柱に千鳥配置として外嵌して固定するようになされている請求項４〜５のいずれか１項記載の電柱用補強カバー構造。
【請求項７】
既設電柱の損傷箇所に外嵌して補強するための補強カバーであって、該カバーの綴じ合わせ部がネジ止め構造とされており、この綴じ合わせ部の少なくとも内側に位置するカバーの綴じ合わせ重合縁のネジ止め部は凹陥されていてこの凹陥部内にネジが位置して綴じ合わせ端がカバーの外周面に突出しないように構成されており、
既設電柱に外嵌して囲繞したカバーの端部に嵌挿して電柱の中心とカバーの中心とを一致させるためのセンタリング用具を備え、
前記センタリング用具は、先端部外周がカバー端内に嵌挿し得る円錐形のテーパー面が形成された芯出し部を有する
ことを特徴とする電柱用補強カバー構造。
【請求項８】
前記センタリング用具は、電柱に嵌着し得るバンドを有し、上記芯出し部は上記バンドに固定され、上記芯出し部をカバーの端部に嵌挿することにより自動的にセンタリングがなされるように構成されている請求項７記載の電柱用補強カバー構造。
【発明の詳細な説明】
【技術分野】
【０００１】
本発明は、損傷した電柱を補強するための電柱用補強カバー構造に関する。
【背景技術】
【０００２】
送電線や電話線、光ファイバー、ケーブルテレビ、有線放送などのケーブルを目的の場所へ導いて接続するために電柱が用いられており、その電柱の多くは鉄筋コンクリート製の中空柱体が用いられている。
【０００３】
この電柱は、図１１に略示するように電柱１の上部に搭載される変電トランス２や電線などのケーブル３の重量により常に負荷が掛かり、なかにはその重量との組み合わせによる経年変化によって大きく撓みが生じ、その結果図１１（Ａ）に示すように電柱１の表面にひび割れａ等の損傷をきたり、あるいは図１１（Ｂ）に示すように作業車４等が衝突して電柱１にひび割れａを生じさせることがある。
【０００４】
このような損傷が限界を超えると、電柱１に内蔵されているＰＣ鋼線が切断し、電柱としての強度が低下するという問題がある。
【０００５】
またひび割れが生じた場合、寒冷地などではひび割れａから浸透した水分が凍結して膨張し、これによりさらにひび割れａが増長拡大してしまう場合がある。
【０００６】
これが海岸に近い場所では塩分によりＰＣ鋼線の腐蝕も懸念され、最終的には電柱の折損に至るという問題がある。
【０００７】
上記のような不具合いを生じた電柱は速やかに新規なものと交換することが最も望ましいが、送電線や通信線は簡単に供用を中止することができないことから、仮設の電柱を設立して対応し、その間に損傷した電柱を撤去して新たな電柱を建て込むことが強いられている。
【０００８】
しかしこれとても市街地ではその作業が容易でないという点が問題として残る。
【０００９】
そこで従来から損傷した電柱の損傷箇所にカバーを巻きつけ、このカバーと電柱との間に間隙を作り、この間隙内にモルタル、樹脂、その他の充填材を注入して固化させることにより補強するようにした技術が提供されている（特許文献１）。
【００１０】
しかるに上記従来のものは、軸方向に２分割し蝶番により連結した一対のカバーを電柱の損傷箇所に外嵌して両カバーを綴じ合わせる構造であり、その綴じ合わせに用いるボルトの頭部が外面に突出し、また蝶番の軸受部分や固定用バンドとその固定具等が突出するので、カバーが電柱の低い位置に挿着されているとこれらの突出物に通行人や車両が接触するおそれがあり、思わぬ怪我や損傷を与える結果を招く。
【００１１】
またカバーを電柱に同心的に嵌合して固定する作業に手間どると、特に市街地など通行量の多い市街地では交通傷害にもなる。
【００１２】
さらにカバーに突出物がないようにするためカバーを溶接により綴じ合わせる方式によると特別な技術や機器、設備を用いての作業が必要となり、作業に熟練を要するばかりでなく電柱の高所に施工する場合など容易な作業ではないものとなる。
【００１３】
一方、従来のボルトによる固定手段は、下側に重なるカバーの内面にナットを溶接して取り付けておき、上側に重なるカバーからボルトを挿入して前記ナットに螺合させて締着させるようになっている。
【００１４】
そのため事前にナットを個々に溶接する作業が必要となり、締着箇所が多いと容易でない。
【特許文献１】特開２００２−１５２９９５号公報
【発明の開示】
【発明が解決しようとする課題】
【００１５】
本発明は上記の点に鑑み、補強施工後外面に突出する突出物の存在を廃し、もって人や車両の接触時にこれらを傷付けることがないようにし、また特別な技術や機器、設備を用いることなく施工することができ、特に電柱の高所の補強など、その作業を容易に行えるようにすることを課題としてなされたものである。
【課題を解決するための手段】
【００１６】
上記課題を解決する手段として本発明は、既設電柱の損傷箇所に外嵌して補強するための補強カバーであって、該カバーの綴じ合わせ部がネジ止め構造とし、この綴じ合わせ部の少なくとも内側に位置するカバーの綴じ合わせ重合縁のネジ止め部を凹陥させてこの凹陥部内にネジを位置させ、綴じ合わせ端がカバーの外周面に突出しない構成としたことにある。
【００１７】
上記凹陥部は、カバーの綴じ合わせ重合縁の長手方向に連続して形成する構成、ネジの頭部が位置する部位に各別に形成する構成のいずれをも含む。
【００１８】
前記補強カバーを既設電柱の半面外周に嵌合し得る断面半円形状で所要長さを有する一対のカバーで構成し、このカバーの綴じ合わせ部の内側になる綴じ合わせ重合縁の内面に、所定の間隔をおいて所要数のネジ孔を列設した細長板状の雌ネジ部材を添設し、外側になる綴じ合わせ部から挿通するネジを前記雌ネジ部材のネジ孔に螺挿して締結するようにすることが好ましい。
【００１９】
上記ネジ止め用のネジは、頭部がより突出しないよう丸皿ネジを用いるのがよい。
【００２０】
前記カバーの長手方向両端部内面に既設電柱の外周面に可及的密に当接する鍔部を形成し、前記カバーの適所に少なくとも１つの充填材注入口を設け、前記鍔部で閉鎖されたカバー内に充填材を注入するようにすることができる。
【００２１】
一方、一対のカバーのそれぞれを長短２様に形成し、これらカバーを既設電柱に千鳥配置として外嵌するようにすれば、カバーを長手方向に分割した構造としても強度低下を抑えることができ、特に既設電柱の高所の損傷箇所の補強施工に適するものとすることができる。
【００２２】
カバーを既設電柱に外嵌して囲繞するとき、カバーの端部に嵌挿して電柱の中心とカバーの中心とを一致させるためのセンタリング用具を備えることが、作業能率を高めるうえで好ましい。
【００２３】
このセンタリング用具は、電柱に嵌着し得るバンドと、このバンドに固定され先端部外周が円錐形のテーパー面とされた芯出し部とで構成することができる。
【発明の効果】
【００２４】
本発明によれば、既設電柱の損傷箇所にカバーを外嵌し、その綴じ合わせ部の綴じ合わせ重合縁のネジ挿通孔に挿通するネジにより綴じ合わせ部を綴じるようにし、そのネジの頭部をカバーの綴じ合わせ部に形成した凹陥部の位置におかれるようにし、綴じ合わせ端がカバーの周面から突出しないようにしたので、通行人や車両が接触してもこれらを傷付けることがなく、安全性の高い補強カバーとすることができる。
【００２５】
特にネジ止め時のナットに相当する雌ネジ部材をカバーと略等長の細長板状の部材により構成し、テープ止めあるいは何箇所かのネジ孔に螺挿しておくことで、安定して以後のネジ止めを行うことができるので、カバーにナットを個々に溶接しておくような事前に回り止めの処置を施す必要がなく、迅速に施工することができ、市街地などでの工事に極めて高い効果を発揮することができる。
【００２６】
一対からなるカバーを各長短２様に形成し、これを既設電柱に千鳥配置として被嵌することにより、長い範囲の施工であっても強度低下を招くことなく補強することができる。
【００２７】
センタリング用具を用いれば、電柱と補強カバーとの間の間隙を均一にできるとともにカバー相互が拡径方向に移動されるのでネジ止め部の遊びが消滅し、カバーの一体化がより確実になされ、所定の強度を容易に得ることができる。
【発明を実施するための最良の形態】
【００２８】
図１は本発明による電柱用補強カバー構造の一実施形態の一部を破断して示す正面図で、既設電柱１の半部に外嵌し得る横断面半円形状の一対のカバー１０Ａ，１０Ｂを具え、これらカバー１０Ａ，１０Ｂは両者を一体化させるための綴じ合わせ部１１，１１が複数本のネジ１２，１２…により相互に固定して一体化させるようになっている。
【００２９】
上記カバー１０Ａ，１０Ｂは、厚さ３．５ｍｍ程度の鋼板製で、長さは最大で４．５ｍ程度とされ、その長手方向両端部内側には既設電柱１の外周面に密接し得る鍔部１３，１３が形成されている。また少なくとも一方のカバー１０Ａの適所には、モルタルその他の補強用充填材１４を注入するための充填材注入口１５が設けられている。
【００３０】
前記カバー１０Ａ，１０Ｂの綴じ合わせ部１１，１１は、図２（Ａ）、（Ｂ）に示す実施形態では内側になる一方のカバー１０Ｂの綴じ合わせ重合縁１６が長手方向にそって段状に凹まされていて凹陥部１７とされ、この凹陥部１７に他方の外側になるカバー１０Ａの綴じ合わせ端１８が嵌合しておかれ、その綴じ合わせ端１８がカバー１０Ａ，１０Ｂの外周面から突出しないように形成されており、この重ね合わせ部位でネジ１２，１２…により締結するようになっている。
【００３１】
図３（Ａ）、（Ｂ）に示す実施形態では、両カバー１０Ａ，１０Ｂの綴じ合わせ部１１，１１の綴じ合わせ重合縁１６，１６の双方とも段状に凹ませて互いに嵌り合う凹陥部１７，１７とされ、これら綴じ合わせ部１１，１１にネジ１２，１２…を挿通して締結するようになっている。
【００３２】
この実施形態では、カバー１０Ａ，１０Ｂの綴じ合わせ端１８，１８はもとより、ネジ１２の頭部１２ａが外側となるカバー１０Ａの凹陥部１７内に位置してカバー１０Ａの外周面に何も突出するものがない形態となる。
【００３３】
上記凹陥部は、図２、図３に示したようにカバー１０Ａ，１０Ｂの長手方向に連続して形成するほか、図４に示すようにネジ１２の位置のみをプレス加工等により凹陥させるようにしてもよい。
【００３４】
前記ネジ１２，１２…による締結手段は本発明における特徴的構成の一部をなすもので、図５に一部を切欠して示すように所定の間隔をおいて所要数のネジ孔１９，１９…が列切された細長板状の雌ネジ部材２０が用いられている。
【００３５】
この雌ネジ部材２０を図２〜図４に示しているように、内側となるカバー１０Ｂの綴じ合わせ部１１，１１の重合縁１６の内側にそわせて仮止めしておき、カバー１０Ａ，１０Ｂの綴じ合わせ部１１，１１の重合縁１６に挿通するネジ１２を上記雌ネジ部材２０のネジ孔１９に螺挿して締結するようになっている。
【００３６】
したがって内側となるカバー１０Ｂの綴じ合わせ重合部１１の重合縁１６の内面に雌ネジ部材２０をそのネジ孔１９，１９…の位置を定めて仮止めし、綴じ合わせ部１１，１１の綴じ合わせ重合部１６，１６のネジ挿通孔２１，２２…にネジ１２を挿通して前記雌ネジ部材２０のネジ孔１９に螺挿締結することにより両カバー１０Ａ，１０Ｂを一体化させることができる。
【００３７】
このようにして既設電柱１の損傷箇所等の要補強部に嵌着し、充填材注入口１５から充填材１４を注入して固化させることにより補強用カバーの施工が完了する。
【００３８】
図６は、一対のカバー１０Ａ，１０Ｂのそれぞれを長短２様に形成し、これらを千鳥配置として既設電柱１に外嵌するようにした実施形態を示すものであり、これは既設電柱１の高所の補強用として好適な形態として示している。
【００３９】
すなわち一側には長いカバー１０Ａ１と短いカバー１０Ａ２とを接続用フランジ２３，２３で接続して外嵌するようにし、他側には短いカバー１０Ｂ１と長いカバー１０Ｂ２とを接続用フランジ２４，２４で接続して外嵌し、これらを前記と同様に綴じ合わせ部１１，１１によりネジ１２，１２…で一体に結合して補強用カバーとするようになされている。
【００４０】
この実施形態によれば、カバー１０Ａ，１０Ｂが長手方向に分割されているので、既設電柱１の高所の補強であっても運び上げ作業が容易であり、それでいて補強用カバーとしての強度を損なうことがなく、十分に高い強度が得られる構造とすることができる。
【００４１】
図７〜図９は、補強用カバーを施工する際に電柱１の中心とカバー１０Ａ，１０Ｂの中心とを一致させ、カバー１０Ａ，１０Ｂの内面と電柱１の外周面との間の隙間を均一にして安定した強度が得られるようにするためのセンタリング用具２５を用いる場合を例示するもので、このセンタリング用具２５は、電柱１に囲繞して締着する一対からなるバンド２６，２６と、このバンド２６，２６に固定され先端部外周がカバー１０Ａ，１０Ｂの端部内に嵌挿し得る円錐形のテーパー面２７ａを有する芯出し部２７とで構成され、図７に示すように上記芯出し部２７，２７をカバー１０Ａ，１０Ｂの端部内に嵌挿することにより自動的にセンタリングがなされ、充填材１４の注入固化後に取り外すことになる。なお図中２８，２９は液密保持のためのパッキン材、２６ａはバンド２６，２６の締着用フランジを示す。
【００４２】
上記センタリング用具２５による芯出し作用により、ネジ１２による締結部が図１０に示すようにカバー１０Ａ，１０Ｂが図において左右方向へ引っ張られるのでネジ挿通孔２１，２２とネジ１２との遊びが消滅して緩みのない状態に固定され、強固な締結がなされる。
【図面の簡単な説明】
【００４３】
【図１】本発明による補強用カバー構造の一実施形態を示す一部を破断した正面図。
【図２】（Ａ）は図１のＡ−Ａ拡大断面図、（Ｂ）は（Ａ）のＢ−Ｂ拡大断面図。
【図３】（Ａ）は他の実施形態を示す図２（Ａ）相当図、（Ｂ）は（Ａ）のＣ−Ｃ拡大断面図。
【図４】さらに他の実施形態を示す図２（Ｂ）相当図。
【図５】本発明における雌ネジ部材の一例を示す一部切欠斜視図。
【図６】本発明による補強用カバー構造の他の実施形態を示す断面図。
【図７】本発明におけるセンタリング用具の使用状態を示す一部の断面図。
【図８】センタリング用具の一例を示す平面図。
【図９】同、半部の正面図。
【図１０】センタリング作用によりカバーが拡張した状態時のネジの締着部の状況を示す断面図。
【図１１】（Ａ）、（Ｂ）は電柱の損傷箇所を示す説明図。
【符号の説明】
【００４４】
１  既設電柱
１０Ａ，１０Ｂ  カバー
１１  綴じ合わせ部
１２  ネジ
１３  鍔部
１４  充填材
１５  充填材注入口
１６  綴じ合わせ重合縁
１７  凹陥部
１８  綴じ合わせ端
１９  ネジ孔
２０  雌ネジ部材
２１，２２  ネジ挿通孔
２３，２４  接続用フランジ
２５  センタリング用具
２６  バンド
２７  芯出し部
【図１】
0005528680.tif 000002
【図２】
0005528680.tif 000003
【図３】
0005528680.tif 000004
【図４】
0005528680.tif 000005
【図５】
0005528680.tif 000006
【図６】
0005528680.tif 000007
【図７】
0005528680.tif 000008
【図８】
0005528680.tif 000009
【図９】
0005528680.tif 000010
【図１０】
0005528680.tif 000011
【図１１】
0005528680.tif 000012